(57)【要約】【課題】家計簿アドバイスシステムに係り、共通する価値観を有する家庭の家計簿情報を抽出し、統計的に支出項目毎の改善期待値を示すことにより、改善の可能性を客観的に示すことを課題とする。【解決手段】カテゴリー抽出部２で、設定項目の条件に従って、同一カテゴリーに属する家計簿情報を抽出し、理想値算出部４で、特定の偏差の値を理想値とし、改善期待値算出部５で、実績値と理想値の差分を改善期待値として算出する。その後、改善項目採用決定部６で、改善項目としての採否を問い合わせ、予算を生成する。【選択図】        図１
2004265280.tif 000002
【特許請求の範囲】
【請求項１】
以下の要素を有することを特徴とする家計簿アドバイスシステム
（１）異なる家計の複数の家計簿情報を記憶する家計簿データベース
（２）家計簿の項目のうち、カテゴリーを特定する設定項目についての条件を入力し、入力した条件に従って、カテゴリー内の家計簿情報を家計簿データベースから抽出するカテゴリー抽出部
（３）抽出したカテゴリー内の家計簿情報について、設定項目以外の比較項目毎に、平均値と、分散とを算出する統計データ算出部
（４）比較項目毎の平均値と、分散とに基づいて、理想値を算出する理想値算出部
（５）アドバイスを受ける対象の家計の被アドバイス家計簿情報を入力し、比較項目毎に、理想値と被アドバイス家計簿の実績値を比較して、改善期待値を算出する改善期待値算出部。
【請求項２】
家計簿アドバイスシステムは、更に、比較項目毎の改善期待値を出力し、改善項目としての採否の入力を促す改善項目採用決定部を有することを特徴とする請求項１記載の家計簿アドバイスシステム。
【請求項３】
カテゴリー抽出部は、改善項目として採用しなかった比較項目を上記設定項目とし、実績値を条件として用いて、再び抽出を行うことを特徴とする請求項１記載の家計簿アドバイスシステム。
【請求項４】
異なる家計の複数の家計簿情報を記憶する家計簿データベースにアクセス可能な家計簿アドバイスシステムとなるコンピュータに、以下の手順を実行させるためのプログラム
（１）家計簿の項目のうち、カテゴリーを特定する設定項目についての条件を入力し、入力した条件に従って、カテゴリー内の家計簿情報を家計簿データベースから抽出するカテゴリー抽出手順
（２）抽出したカテゴリー内の家計簿情報について、設定項目以外の比較項目毎に、平均値と、分散とを算出する統計データ算出手順
（３）比較項目毎の平均値と、分散とに基づいて、理想値を算出する理想値算出手順
（４）アドバイスを受ける対象の家計の被アドバイス家計簿情報を入力し、比較項目毎に、理想値と被アドバイス家計簿の実績値を比較して、改善期待値を算出する改善期待値算出手順。
【発明の詳細な説明】
【０００１】
【発明の属する技術分野】
本発明は、家計簿アドバイスシステムに係り、共通する価値観を有する家庭の家計簿情報を抽出し、統計的に支出項目毎の改善期待値を示すことにより、改善の可能性を客観的に示す技術に関する。
【０００２】
【従来の技術】
従来から家計簿管理を支援するシステムが、多く提案されている。その多くは、家計簿情報の収集に主眼を置くものであり、家計の改善は、当事者に任されていた。
【０００３】
しかし、自らの家計簿情報からのみでは、無駄を判断できないことが多い。消費に対する判断は、主観的になりがちであり、生活スタイルを変更することまでは想定できないからである。
【０００４】
【特許文献１】
特開２００１−３３１６３８号公報
【特許文献２】
特開２００２−２１５８８７号公報
【特許文献３】
特開平０８−３３５２３３号公報
【特許文献４】
特開２００２−１６９９５３号公報
【０００５】
【発明が解決しようとする課題】
本発明は、上記した従来技術の欠点を除くためになされたものであって、その目的とするところは、共通する価値観を有する家庭の家計簿情報を抽出し、統計的に支出項目毎の改善期待値を示すことにより、改善の可能性を客観的に示すことを目的とする。
これにより、項目毎の支出額について、具体的かつ根拠のある目標に向かって、生活スタイルの改善を図ることができる。
【０００６】
【課題を解決するための手段】
本発明に係る家計簿アドバイスシステムは、
以下の要素を有することを特徴とする
（１）異なる家計の複数の家計簿情報を記憶する家計簿データベース
（２）家計簿の項目のうち、カテゴリーを特定する設定項目についての条件を入力し、入力した条件に従って、カテゴリー内の家計簿情報を家計簿データベースから抽出するカテゴリー抽出部
（３）抽出したカテゴリー内の家計簿情報について、設定項目以外の比較項目毎に、平均値と、分散とを算出する統計データ算出部
（４）比較項目毎の平均値と、分散とに基づいて、理想値を算出する理想値算出部
（５）アドバイスを受ける対象の家計の被アドバイス家計簿情報を入力し、比較項目毎に、理想値と被アドバイス家計簿の実績値を比較して、改善期待値を算出する改善期待値算出部。
【０００７】
家計簿アドバイスシステムは、更に、比較項目毎の改善期待値を出力し、改善項目としての採否の入力を促す改善項目採用決定部を有することを特徴とする。
【０００８】
カテゴリー抽出部は、改善項目として採用しなかった比較項目を上記設定項目とし、実績値を条件として用いて、再び抽出を行うことを特徴とする。
【０００９】
本発明に係るプログラムは、
異なる家計の複数の家計簿情報を記憶する家計簿データベースにアクセス可能な家計簿アドバイスシステムとなるコンピュータに、以下の手順を実行させるためのプログラムであることを特徴とする
（１）家計簿の項目のうち、カテゴリーを特定する設定項目についての条件を入力し、入力した条件に従って、カテゴリー内の家計簿情報を家計簿データベースから抽出するカテゴリー抽出手順
（２）抽出したカテゴリー内の家計簿情報について、設定項目以外の比較項目毎に、平均値と、分散とを算出する統計データ算出手順
（３）比較項目毎の平均値と、分散とに基づいて、理想値を算出する理想値算出手順
（４）アドバイスを受ける対象の家計の被アドバイス家計簿情報を入力し、比較項目毎に、理想値と被アドバイス家計簿の実績値を比較して、改善期待値を算出する改善期待値算出手順。
【００１０】
【発明の実施の形態】
実施の形態１．
以下本発明を図面に示す実施例に基づいて説明する。図１は、家計簿アドバイスシステムの構成を示す図である。
家計簿アドバイスシステムは、家計簿データベース１、カテゴリー抽出部２、統計データ算出部３、理想値算出部４、改善期待値算出部５、改善項目採用決定部６、予算出力部７から構成されている。
【００１１】
家計簿データベース１について説明する。図２は、家計簿データベースの構成例を示す図である。
図に示すように、異なる家計毎に家計簿情報を記憶するように構成されている。つまり、家計の数分の家計簿情報をレコードとして記憶している。本システムは、これらの他人の複数世帯に関する家計情報を用いて、自己の家計を分析し、アドバイスするものである。
図中の「年収」から「その他」までのように、収入や支出等の項目を家計毎に記憶するように構成されている。
【００１２】
続いて、家計簿アドバイスシステムの動作について説明する。
最初に、カテゴリー抽出部２により、カテゴリー抽出処理を行う。この処理は、家計簿データベース１で管理されている家計のうち、アドバイスを受ける家計（被アドバイス家計）と同じカテゴリーに含まれる家計の家計簿情報を抽出する処理である。
具体的には、家計簿の項目のうち、カテゴリーを特定する設定項目を選択させ、その設定項目についての条件を入力し、入力した条件に従って、カテゴリー内の家計簿情報を家計簿データベース１から抽出する。例えば、設定項目を「年収合計」として、条件を６００〜６５０万円とすると、年収合計が６００〜６５０万円の範囲に含まれる家計簿情報を選択し、これらをカテゴリー内家計簿情報とする。また、設定項目と条件の組を複数設けて、ＡＮＤ条件あるいはＯＲ条件で検索するようにしても構わない。但し、通常は、ＡＮＤ条件で処理される。
【００１３】
続いて、統計データ算出部３により、統計データ算出処理を行う。この処理は、カテゴリー内家計簿情報を、各項目毎に統計値を算出する処理である。具体的には、抽出したカテゴリー内の家計簿情報について、設定項目以外の比較項目毎に、平均値と、分散とを算出する。前述の例のように、「年収合計」を設定項目とした場合には、それ以外の項目が比較項目となる。特に、図中「家賃」から「その他」の支出の項目が比較項目として有効である。
【００１４】
続いて、理想値算出部４により、理想値算出処理を行う。この処理は、予め設定してある偏差の基準に基づいて、主に支出に関して理想値、つまり消費制限目標を算出する。
具体的には、比較項目毎の平均値と、分散とに基づいて、所定の偏差値（特定の偏差の例）に対応する値を算出し、理想値とする。この統計処理では、正規分布に従うことを前提として処理を行う。
【００１５】
続いて、改善期待値算出部５により、改善期待値算出処理を行う。この処理は、被アドバイス家計簿情報を入力し、比較項目毎に、理想値と被アドバイス家計簿の実績値を比較して、改善期待値を算出する。
【００１６】
図３は、理想値と改善期待値の概要を示す図である。家計数を度数として、食費の分布を表している。例えば、偏差値「３５」を理想と設定している場合には、それに対応する食費３．８万円が、食費についての理想値となる。そして、実績値４．３万円から理想値を差し引いた０．５万円が、改善期待値となる。
【００１７】
続いて、改善項目採用決定部６により、改善項目採用決定処理を行う。この処理により、比較項目毎の改善期待値を出力し、改善項目としての採否の入力を促す情報を出力する。そして、改善項目としての採否結果を入力する。この処理により、当事者の改善意識を反映した予算の作成が可能になる。
【００１８】
カテゴリー抽出部２で、改善項目として採用しなかった比較項目を上記設定項目として再び抽出を行うことも有効である。このとき、実績値を是認する条件として用いることが有効である。改善の対象としない項目については、実績値を抽出条件とすることにより、被アドバイス家計に近似する家計の家計簿情報を抽出できるからである。
そして、上述のカテゴリー抽出処理から改善項目採用決定処理を繰り返す。
【００１９】
最後に、採用した改善項目毎に、理想値と改善期待値を予算として出力して全体の処理を終了する。
【００２０】
家計簿アドバイスシステムは、コンピュータであり、各要素はプログラムにより処理を実行することができる。また、プログラムを記憶媒体に記憶させ、記憶媒体からコンピュータに読み取られるようにすることができる。
【００２１】
【発明の効果】
本発明においては、設定項目の条件に従って、カテゴリー内の家計簿情報を抽出し、統計的に理想値を算出し、実績値との差分を改善期待値とするので、被アドバイス家計について、生活スタイルが共通する家計群の中から、客観的に改善可能な項目及びその改善期待値を知ることができる。
【図面の簡単な説明】
【図１】家計簿アドバイスシステムの構成を示す図である。
【図２】家計簿データベースの構成例を示す図である。
【図３】理想値と改善期待値の概要を示す図である。
【符号の説明】
１  家計簿データベース、２  カテゴリー抽出部、３  統計データ算出部、４理想値算出部、５  改善期待値算出部、６  改善項目採用決定部、７  予算出力部。
【図１】
2004265280.tif 000003
【図２】
2004265280.tif 000004
【図３】
2004265280.tif 000005